(57)【要約】【課題】ユーザーが、表示面に対して保護フィルムを正確且つ容易に貼り付けることを可能にする手段を提供する。【解決手段】保護フィルム貼付用治具１０は、保護フィルム２２をスマートフォンの表示面９０ｍに貼り付けるために使用される、治具であって、スマートフォンのケース９０に固定される第１固定部１１及び第２固定部１２を備えており、第１固定部１１及び第２固定部１２は、保護フィルム２２を保持した保持フィルム２１が取り付けられるフィルム取付部（支持面１５ａ、１５ｂ及び突出部１６ａ、１６ｂ、１６ｃ、１６ｄ）を備えており、第１固定部１１及び第２固定部１２がケース９０に固定された場合に、フィルム取付部は、表示面９０ｍに保護フィルム２２が対向するように保持フィルム２１を支持するようになっている。【選択図】図１１
2014002246.tif 000002
【特許請求の範囲】
【請求項１】
保護フィルムを画像表示装置の表示面に貼り付けるために使用される、治具であって、
前記画像表示装置のケースに固定される固定部を備えており、
前記固定部は、前記保護フィルムを保持した保持フィルムが取り付けられるフィルム取付部を備えており、
前記固定部が前記ケースに固定された場合に、前記フィルム取付部は、前記表示面に前記保護フィルムが対向するように前記保持フィルムを支持するようになっている、保護フィルム貼付用治具。
【請求項２】
前記保持フィルムは、前記保護フィルムよりも大きな寸法を有し、且つ前記各フィルム取付部に対応した被位置決め部を備えており、
前記被位置決め部は、前記保護フィルムの外側で前記保持フィルムに形成された貫通孔であり、
前記フィルム取付部は、前記貫通孔内に挿入される突出部である、請求項１に記載の治具。
【請求項３】
前記ケースは、平面視で四角形状の形状を有しており、
前記固定部は、前記ケースの角部分を受ける４つの凹んだ当接面を有しており、
前記フィルム取付部は、４つの前記突出部を有している、請求項２に記載の治具。
【請求項４】
前記固定部は、複数の部品からなっている、請求項１−３のいずれか１つに記載の治具。
【請求項５】
前記固定部は、単一の部品からなっている、請求項１−３のいずれか１つに記載の治具。
【請求項６】
請求項１−５のいずれか１つに記載の治具と、
前記保護フィルムを保持した前記保持フィルムを含むフィルム積層体と、を備えている保護フィルム貼付用セット。
【請求項７】
画像表示装置の表示面を保護するための保護フィルムを保持した前記保持フィルムを含むフィルム積層体であって、
前記保持フィルムは、前記保護フィルムよりも大きな寸法を有し、且つ位置決めされるための被位置決め要素を備えており、前記被位置決め要素は、前記保護フィルムの外側に形成された貫通孔である、フィルム積層体。
【請求項８】
前記保持フィルムは、平面視で前記保護フィルムの両側にそれぞれ、２つの前記被位置決め要素を備えている、請求項７に記載のフィルム積層体。
【発明の詳細な説明】
【技術分野】
【０００１】
本発明は、画像表示装置の表示面を被覆するための保護フィルムを前記表示面に対して位置決めする保護フィルム貼付用治具、前記保護フィルム及び前記保護フィルムが貼り付けられている保持フィルムを有するフィルム積層体、及び前記保護フィルム貼付用治具及び前記フィルム積層体からなる保護フィルム貼付用セットに関する。
【背景技術】
【０００２】
従来、携帯電話、スマートフォンなどの画像表示装置の表示面を保護するための保護フィルムが製造されている。このような保護フィルムは、携帯電話、スマートフォンなどの表示面のサイズに合わせて設計されている。このような保護フィルムは、単なる表示面の保護だけでなく、反射光の防止など、様々な目的のために設けられている。このような目的に応じて、特定の寸法の表示面に対応する多種の保護フィルムが製造されている。このため、携帯電話等の利用者は、自らの目的に応じた保護フィルムを購入し、自らの手で保護フィルムを表示面に貼り付ける。特許文献１は、このような保護フィルムの一例を、開示している。
【先行技術文献】
【特許文献】
【０００３】
【特許文献１】特開２００４−１１７７９０号公報
【発明の概要】
【発明が解決しようとする課題】
【０００４】
上述したように、保護フィルムは手作業で表示面に貼り付けられる。表示面から外れることなく保護フィルムを貼り付けるには、利用者は、忍耐強く、落ち着いて、慎重に貼り付け作業を行う必要がある。つまり、利用者に高度な技量が要求される。一方、それでも、貼り付け作業に失敗する場合がある。その場合、利用者は、表示面から保護フィルムを一旦剥がして再度貼り付け作業を行う。このような作業が繰り返されると、保護フィルムの粘着力が失われて、保護フィルム自体が使用できなくなってしまう。そうすると、利用者は、更に保護フィルムを購入せざるを得なくなる。保護フィルムは比較的高価であるため、保護フィルムの追加購入は利用者に大きなコストを強いてしまう。
【０００５】
そこで、本発明は、ユーザーが、表示面に対して保護フィルムを正確且つ容易に貼り付けることを可能にする手段を提供する。
【課題を解決するための手段】
【０００６】
本発明に係る保護フィルム貼付用治具は、保護フィルムを画像形成装置の表示面に貼り付けるために使用される、治具であって、前記画像表示装置のケースに固定される固定部を備えており、前記固定部は、前記保護フィルムを保持した保持フィルムが取り付けられるフィルム取付部を備えており、前記固定部が前記ケースに固定された場合に、前記フィルム取付部は、前記表示面に前記保護フィルムが対向するように前記保持フィルムを支持するようになっている。
【０００７】
前記保護フィルム貼付用治具において、前記保持フィルムは、前記保護フィルムよりも大きな寸法を有し、且つ前記各フィルム取付部に対応した被位置決め部を備えており、前記被位置決め部は、前記保護フィルムの外側で前記保持フィルムに形成された貫通孔であり、前記フィルム取付部は、前記貫通孔内に挿入される突出部である。
【０００８】
前記保護フィルム貼付用治具において、前記ケースは、平面視で四角形状の形状を有しており、前記固定部は、前記ケースの角部分を受ける４つの凹んだ当接面を有しており、前記フィルム取付部は、４つの前記突出部を有している。
【０００９】
前記保護フィルム貼付用治具において、前記固定部は、複数の部品からなっている。
【００１０】
前記保護フィルム貼付用治具において、単一の部品からなっている。
【００１１】
本発明に係る保護フィルム貼付用セットは、前記治具と、前記保護フィルムを保持した前記保持フィルムを含むフィルム積層体と、を備えている。
【００１２】
本発明に係るフィルム積層体は、画像表示装置の表示面を保護するための保護フィルムを保持した前記保持フィルムを含むフィルム積層体であって、前記保持フィルムは、前記保護フィルムよりも大きな寸法を有し、且つ位置決めされるための被位置決め要素を備えており、前記被位置決め要素は、前記保護フィルムの外側に形成された貫通孔である。
【００１３】
前記フィルム積層体において、前記保持フィルムは、平面視で前記保護フィルムの両側にそれぞれ、２つの前記被位置決め要素を備えている。
【発明の効果】
【００１４】
保護フィルムが、平面視において表示面に対して位置決めされ、且つ表示面から離間した状態に保たれる。このため、本発明に係る治具は、ユーザーが、表示面に対して保護フィルムを正確且つ容易に貼り付けることを可能にする。
【図面の簡単な説明】
【００１５】
【図１】スマートフォンの平面図である。
【図２】スマートフォンの側面図である。
【図３】第１実施形態に係るフィルム積層体の平面図である。
【図４】第１実施形態に係るフィルム積層体の側面図である。
【図５】貼付作業時におけるケース及び保持フィルムの側面図である。
【図６】第１実施形態に係る治具の平面図である。
【図７】第１実施形態に係る治具の側面図である。
【図８】ケースが取り付けられた治具の平面図である。
【図９】ケースが取り付けられた治具の側面図である。
【図１０】ケース及び保持フィルムが取り付けられた治具の平面図である。
【図１１】ケース及び保持フィルムが取り付けられた治具の側面図である。
【図１２】保持フィルムが押圧された状態を示す、ケース及び保持フィルムが取り付けられた治具の側面図である。
【図１３】第２実施形態に係る治具の平面図である。
【図１４】第２実施形態に係る治具の側面図である。
【図１５】ケース及び保持フィルムが取り付けられた治具の平面図である。
【図１６】ケース及び保持フィルムが取り付けられた治具の側面図である。
【図１７】第３実施形態に係る治具の平面図である。
【図１８】第３実施形態に係る治具の側面図である。
【発明を実施するための形態】
【００１６】
（第１実施形態）
第１実施形態に係る保護フィルム貼付用セットを説明する。保護フィルム貼付用セットは、治具１０と、フィルム積層体２０とを備えている。
【００１７】
まず、図１、２を参照して、第１実施形態に係る保護フィルム貼付用セットが適用されるスマートフォンを説明する。図１は、スマートフォンの平面図である。図２は、スマートフォンの側面図である。
【００１８】
図１、２において、スマートフォンは、板状のケース９０を有している。スマートフォンの表示面９０ｍは、ケース９０の上面に形成されている。ここで上面は、ケース９０において最も面積の大きな２つの面の一方を指している。本実施形態では、この表示面９０ｍは、上面にほぼ一致しており、上面のほぼ全面にわたって形成されている。
【００１９】
平面視において、ケース９０は、四角形状の形状を有している。ケース９０は、４つの角部分９０ａ、９０ｂ、９０ｃ、９０ｄを有している。これらの角部分は、平面視において丸みを有している部分であり、ケース９０の側面において屈曲している面領域を指している。ここで、ケース９０の側面は、表示面９０ｍに対して直交する面（図２に示される面）を指している。
【００２０】
次に、図３、４を参照して、第１実施形態に係るフィルム積層体２０を説明する。図３は、第１実施形態に係るフィルム積層体２０の平面図である。図４は、第１実施形態に係るフィルム積層体２０の側面図である。フィルム積層体２０は、特定のスマートフォンのケース９０の寸法に合わせて設計されている。
【００２１】
図４において、フィルム積層体２０は、保持フィルム２１、保護フィルム２２、及びセパレータ２３からなる３層構造を有している。保持フィルム２１の上に保護フィルム２２が貼り付けられており、保護フィルム２２の上にセパレータ２３が貼り付けられている。平面視において、保護フィルム２２及びセパレータ２３は同一の寸法を有しており、保持フィルム２１は保護フィルム２２の寸法よりも大きな寸法を有している。保持フィルム２１は、本体層及び接着層からなる２層構造を有しており、この接着層が保護フィルム２２に接着している。保護フィルム２２は、本体層２２ａ及び接着層２２ｂからなる２層構造を有しており、接着層２２ｂがセパレータ２３に接着している。
【００２２】
平面視において、保持フィルム２１は、４つの貫通孔２１ａ、２１ｂ、２１ｃ、２１ｄを有している。これらの４つの貫通孔２１ａ、２１ｂ、２１ｃ、２１ｄは、詳しくは後述するが、治具１０の位置決め要素（突出部）に対応する被位置決め要素である。
【００２３】
図５は、貼付作業時におけるケース９０及び保持フィルム２１の側面図である。貼付作業時に、セパレータ２３は、フィルム積層体２０から除去される。この結果、この段階では、フィルム積層体２０は、保持フィルム２１及び保護フィルム２２のみから構成される。図５は、治具１０に保持フィルム２１が取り付けられる際の保持フィルム２１の姿勢を示している。図５において、保護フィルム２２の粘着層２２ａがケース９０に対向するように、保持フィルム２１が配置される。
【００２４】
次に、図６、７を参照して、第１実施形態に係る治具１０を説明する。図６は、第１実施形態に係る治具１０の平面図である。図７は、第１実施形態に係る治具１０の側面図である。治具１０は、特定のスマートフォンのケース９０の寸法に合わせて設計されている。
【００２５】
図６、７において、治具１０は、第１固定部１１、第２固定部１２、及び板部１３からなっている。第１固定部１１及び第２固定部１２は、平面視においてΠ字状の部分であり、板部１３は四角形状の板状部分を指している。第１固定部１１及び第２固定部１２は、板部１３の上に配置されている。第１固定部１１、第２固定部１２、及び板部１３は一体的に連結されている。第１固定部１１及び第２固定部１２は、ケース９０に固定される固定部を構成している。
【００２６】
治具１０は、４つの当接面１４ａ、１４ｂ、１４ｃ、１４ｄを備えている。４つの当接面１４ａ、１４ｂ、１４ｃ、１４ｄは、平面視におけるケース９０の外周部を受けることによって、平面視でケース９０を治具１０に対して位置決めする。これらの当接面１４ａ、１４ｂ、１４ｃ、１４ｄは、第１固定部１１及び第２固定部１２の内面に形成される面領域を指しており、平面視において直角に屈曲する凹んだ面である。これらの当接面は、ケース９０の２つの側面に同時に接触するようになっている。当接面１４ａ、１４ｂは第１固定部１１の内面に形成されており、当接面１４ｃ、１４ｄは第２固定部１２の内面に形成されている。当接面１４ａ、１４ｂは一体化されており、平面視において全体として内側に開口している。同様に、当接面１４ｃ、１４ｄは一体化されており、平面視において全体として内側に開口している。
【００２７】
治具１０は、保護フィルム２２を保持した保持フィルム２１が取り付けられるフィルム取付部を備えている。フィルム取付部は、２つの支持面１５ａ、１５ｂ、及び４つの突出部１６ａ、１６ｂ、１６ｃ、１６ｄを備えている。支持面１５ａ、１５ｂはそれぞれ、第１固定部１１及び第２固定部１２の上面である。突出部１６ａ、１６ｂは支持面１５ａより上方に突出する円柱状体であり、突出部１６ｃ、１６ｄは１５ｂより上方に突出する円柱状体である。突出部１６ａ、１６ｂ、１６ｃ、１６ｄは、上述した保持フィルム２１の貫通孔２１ａ、２１ｂ、２１ｃ、２１ｄに対応する位置決め要素である。
【００２８】
図８−１１を参照して、表示面９０ｍに対する保護フィルム２２の位置決め作業を説明する。この位置決め作業を概略的に説明すると、図８、９に示されるように、まずケース９０が治具１０に対して配置され、ケース９０が治具１０に対して位置決めされる。次に、図１０、１１に示されるように、フィルム積層体２０が治具１０に対して配置され、フィルム積層体２０が治具１０に対して位置決めされる。この結果、保護フィルム２２が、ケース９０の表示面９０ｍに対して位置決めされる。以下、詳しく説明する。
【００２９】
図８は、ケース９０が取り付けられた治具１０の平面図である。図９は、ケース９０が取り付けられた治具１０の側面図である。図８、９において、ケース９０が治具１０に対して配置されている。平面視において、ケース９０は、当接面１４ａ、１４ｂ、１４ｃ、１４ｄによって囲まれる空間内に収納される。ここで上述したように、治具１０はケース９０の寸法に合わせて設計されている。このため、ケース９０の角部分９０ａ、９０ｂ、９０ｃ、９０ｄがそれぞれ、当接面１４ａ、１４ｂ、１４ｃ、１４ｄに接触する。
【００３０】
図８において、角部分９０ａ、９０ｃは対角位置にあり、対応する当接面１４ａ、１４ｃは表示面９０ｍを挟んで互いに対向している。同じく、角部分９０ａ、９０ｄは対角位置にあり、対応する当接面１４ｂ、１４ｄは表示面９０ｍを挟んで互いに対向している。つまり、治具１０には、表示面９０ｍを挟んで対向する２つの当接面からなる組が、２組存在している。このため、平面視において、ケース９０の重心が移動しないように、ケース９０が当接面１４ａ、１４ｂ、１４ｃ、１４ｄによって支持される。この結果、平面視において、ケース９０が治具１０に対して位置決めされる。
【００３１】
図１０は、ケース９０及び保持フィルム２１が取り付けられた治具１０の平面図である。図１１は、ケース９０及び保持フィルム２１が取り付けられた治具１０の側面図である。上述したように、セパレータ２３が除去されたフィルム積層体２０（図５）が、治具１０に取り付けられる。図１０、１１において、保持フィルム２１が治具１０に対して配置されている。治具１０に保持フィルム２１が取り付けられたときに、４つの貫通孔２１ａ、２１ｂ、２１ｃ、２１ｄ内にそれぞれ突出部１６ａ、１６ｂ、１６ｃ、１６ｄが挿入される。この結果、保持フィルム２１は水平方向への移動が制止されている。
【００３２】
ケース９０の長手方向において、突出部１６ａ、１６ｂは保護フィルム２２の一方にあり、突出部１６ｃ、１６ｄは保護フィルム２２の他方にある。このため、保持フィルム２１は、保護フィルム２２の両側で固定されており、水平方向での保持フィルム２１の移動及び回転が制止されている。特に、突出部１６ａ、１６ｂ、１６ｃ、１６ｄ及び貫通孔２１ａ、２１ｂ、２１ｃ、２１ｄは、保持フィルム２１の４つの角部分に対応する位置に設けられている。このため、より安定的に、保持フィルム２１の移動及び回転が制止されている。このように、平面視において、ケース９０が治具１０に対して位置決めされる。
【００３３】
また、治具１０に保持フィルム２１が取り付けられたときに、保持フィルム２１の下面が２つの支持面１５ａ、１５ｂに接触する。この結果、保持フィルム２１が２つの支持面１５ａ、１５ｂによって支持される。ここで、支持面１５ａ、１５ｂの高さＨａ、Ｈｂは、ケース９０の厚さＨ９０よりも所定幅Ｈだけ長い。高さＨａ、Ｈｂは、第１固定部１１及び第２固定部１２の下端から上端（上面）までの高さであり、同一の大きさである。第１固定部１１及び第２固定部１２の下端は、板部１３の上面であり、治具１０にケース９０が配置されたときに、ケース９０の下面が接触する面である。また、ケース９０の厚さＨ９０は、ケース９０の上面、下面間の距離を指している。上述の所定幅Ｈは、保護フィルム２２の厚さＨ２２よりも大きい。このため、ケース９０が冶具１０内に配置されたときに、保護フィルム２２の下面は表示面９０ｍの上方に位置している。つまり、保護フィルム２２が表示面９０ｍに接触していない。
【００３４】
このようにして、保護フィルム２２が表示面９０ｍに対して対向しながら、表示面９０ｍに接触することなく、平面視で表示面９０ｍに対して位置決めされる。
【００３５】
図１２は、保持フィルム２１が押圧された状態を示す、ケース９０及び保持フィルム２１が取り付けられた治具１０の側面図である。治具１０を用いた位置決め作業が完了すると、ユーザーは、保護フィルム２２の貼付作業を開始する。ユーザーは、まず、指等を用いて、平面視で表示面９０ｍに重複する保持フィルム２１の上面の任意箇所を押圧する。治具１０に支持されている保持フィルム２１に押圧力Ｆが加えられると、保持フィルム２１及びその下の保護フィルム２２が下方に移動し、保護フィルム２２の下面が表示面９０ｍに接触する。上述したように、保護フィルム２２の下面は接着層２２ｂによって構成されているので、この接触により保護フィルム２２が表示面９０ｍに接着される。ユーザーは、保護フィルム２２が少なくとも複数箇所で表示面９０ｍに接触するように更に保持フィルム２１の上面の他の箇所を押圧する。この後、ユーザーは、保持フィルム２１を治具１０から取り外すと共に、保護フィルム２２から取り外し、保護フィルム２２を直接表示面９０ｍに押し付ける。このようにして保護フィルム２２が全面的に表示面９０ｍに押し付けられると、保護フィルム２２の貼付作業は完了する。その後、ユーザーは、保護フィルム２２が貼り付けられたケース９０を治具１０から取り外す。なお、接着層２２ｂを構成する接着剤の濡れ性が十分であれば、当初の一箇所の接着によって表示面９０ｍに保護フィルム２２が保持され、表示面９０ｍに対する保護フィルム２２の移動が制止される。したがって、ユーザーは、当初の一箇所の接着後直ぐに、保持フィルム２１を治具１０及び保護フィルム２２から取り外しても良い。また、治具１０からのケース９０の取り外しも、当初の一箇所の接着後以降であれば、いずれの段階で行われても良い。
【００３６】
また、保護フィルム貼付用セットは、保護フィルム２２を貼り付ける対象のケース９０を特定するための特定情報を有している。この特定情報は、例えばケース９０を有するスマートフォン（画像表示装置）の品番を記述する情報であり、文字、番号、及び記号の羅列によって構成されている。このような特定情報が、フィルム積層体２０や治具１０のいずれかの箇所に刻印又はシール等により添付される。あるいは、このような特定情報が、フィルム積層体２０や保護フィルム貼付用セットを包装するパッケージに刻印又はシール等により添付される。ユーザーは、この特定情報を参照して、ケース９０に対応する治具１０、フィルム積層体２０、及び保護フィルム貼付用セットを特定できる。
【００３７】
（第２実施形態）
第２実施形態に係る保護フィルム貼付用セットを説明する。第２実施形態に係る保護フィルム貼付用セットは、治具２１０と、フィルム積層体２０とを備えている。第２実施形態に係る治具２１０は、第１実施形態に係る治具１０とは異なる構造を有している。第２実施形態に係るフィルム積層体２０の構造は、第１実施形態におけるフィルム積層体２０の構造と同じである。以下では、治具２１０を説明する。
【００３８】
図１３、１４を参照して、第２実施形態に係る治具２１０を説明する。図１３は、第２実施形態に係る治具２１０の平面図である。図１４は、第２実施形態に係る治具２１０の側面図である。治具２１０は、特定のスマートフォンのケース９０の寸法に合わせて設計されている。
【００３９】
治具２１０は、第１実施形態に係る治具１０から板部１３が取り除かれた構成に相当している。治具２１０は、２つの分離された第１固定部品２１１及び第２固定部品２１２からなっており、第１固定部品２１１及び第２固定部品２１２はそれぞれ、治具１０に含まれる第１固定部１１及び第２固定部１２に対応している。
【００４０】
次に、図１５、１６を参照して、第２実施形態における位置決め作業及び貼付作業を説明する。図１５は、ケース９０及び保持フィルム２１が取り付けられた治具２１０の平面図である。図１６は、ケース９０及び保持フィルム２１が取り付けられた治具２１０の側面図である。
【００４１】
第２実施形態における位置決め作業も、第１実施形態における位置決め作業と基本的に同じである。まず、第１固定部品２１１及び第２固定部品２１２がケース９０に対して配置され、第１固定部品２１１及び第２固定部品２１２がケース９０に対して位置決めされる。次に、フィルム積層体２０が治具２１０に対して配置され、フィルム積層体２０が治具１０に対して位置決めされる。ここで、第２実施形態に係る治具２１０は、第１実施形態に係る治具１０とは異なり分離されている。このため、フィルム積層体２０が治具１０に取付けられた段階で、フィルム積層体２０を介して第１固定部品２１１及び第２固定部品２１２がケース９０に対して固定され、ケース９０に対する治具２１０の位置決めが確実になる。第２実施形態における貼付作業は、第１実施形態における貼付作業と全く同じである。
【００４２】
（第３実施形態）
第３実施形態に係る保護フィルム貼付用セットを説明する。第３実施形態に係る保護フィルム貼付用セットは、治具３１０と、フィルム積層体２０とを備えている。第３実施形態に係る治具３１０は、第１実施形態に係る治具１０とは異なる構造を有している。第２実施形態に係るフィルム積層体２０の構造は、第１実施形態におけるフィルム積層体２０の構造と同じである。以下では、治具３１０を説明する。
【００４３】
図１７、１８を参照して、第３実施形態に係る治具３１０を説明する。図１７は、第３実施形態に係る治具３１０の平面図である。図１８は、第３実施形態に係る治具３１０の側面図である。治具３１０は、特定のスマートフォンのケース９０の寸法に合わせて設計されている。
【００４４】
治具３１０は、側壁部３１８、３１８、３１９、３１９と、板部３１３とを有している。板部３１３は、第１実施形態に係る板部１３に対応する板状部分である。側壁部３１８、３１８、３１９、３１９は、板部１３の上に配置されており、平面視において板部１３の外周を囲っている。側壁部３１８、３１８、３１９、３１９は、第３実施形態における固定部を構成している。
【００４５】
ケース９０を配置するための空間が、側壁部３１８、３１８、３１９、３１９の内部に設けられている。ここで、側壁部３１８、３１８は、ケース９０の長手方向の両端に対応する位置に配置されており、側壁部３１９、３１９は、ケース９０の短手方向の両端に対応する位置に配置されている。
【００４６】
治具３１０は、ケース９０の側壁を受ける４つの当接面１７及び２つの当接面１８を有している。これらの６つの当接面は、ケース９０の側面に合わせて形成された平面である。１つの当接面１８が側壁部３１８の内面に形成されている。２つの当接面１７が側壁部３１９の内面に形成されている。ケース９０が治具３１０に収納されているときに、４つの当接面１７はケース９０の長手の側面に当接し、２つの当接面１８はケース９０の短手の側面に当接する。
【００４７】
第３実施形態に係る治具３１０は、ケース９０を囲う側壁部３１８、３１８、３１９、３１９を有しているので、第１実施形態よりも強度の高い構造を有している。このため、第３実施形態では、治具の剛性を第１実施形態よりも低下させても、位置決め性能を確保できる。したがって例えば、剛性が比較的低い材料を用いて治具３１０を構成しても良い。
【００４８】
第３実施形態における位置決め作業及び貼付作業は、第１実施形態における位置決め作業及び貼付作業と同じである。
【００４９】
（本実施形態の効果）
本実施形態に係る保護フィルム貼付用治具は、次の構成により次の効果を有している。
【００５０】
（１）第１−３実施形態に係る治具は、固定部、フィルム取付部を備えている。第１実施形態に係る固定部は、第１固定部１１及び第２固定部１２であり、第２実施形態に係る固定部は、第１固定部品２１１及び第２固定部品２１２であり、第３実施形態に係る固定部は、側壁部３１８、３１８、３１９、３１９である。第１−３実施形態に係るフィルム取付部は、支持面１５ａ、１５ｂ及び突出部１６ａ、１６ｂ、１６ｃ、１６ｄである。
【００５１】
ケース９０が治具に対して配置されたときにケース９０が治具に対して位置決めされ、フィルム積層体２０が治具に対して配置されたときにフィルム積層体２０が治具に対して位置決めされる。この結果、保護フィルム２２が、平面視において表示面９０ｍに対して位置決めされ、且つ表示面９０ｍから離間した状態に保たれる。
【００５２】
このため、第１−３実施形態に係る治具は、ユーザーが、表示面に対して保護フィルムを正確且つ容易に貼り付けることを可能にする。
【００５３】
（２）第１−３実施形態に係る保護フィルム貼付用治具において、保持フィルム２１は、保護フィルム２２よりも大きな寸法を有し、且つ各フィルム取付部に対応した被位置決め部（貫通孔）を備えており、フィルム取付部は、貫通孔２１ａ、２１ｂ、２１ｃ、２１ｄ内に挿入される突出部１６ａ、１６ｂ、１６ｃ、１６ｄである。
【００５４】
このため、第１−３実施形態に係る治具は、比較的簡単な構造で、保持フィルムを治具に対して位置決めできる。
【００５５】
（３）第１−２実施形態に係る治具において、ケース９０は、平面視で四角形状の形状を有しており、固定部は、ケース９０の角部分を受ける４つの凹んだ当接面を有しており、フィルム取付部は、４つの前記突出部を有している。
【００５６】
このため、第１−２実施形態に係る治具は、比較的簡単な構造で、ケース９０を治具に対して位置決めできる。
【００５７】
（４）第２実施形態に係る治具において、固定部は、２つの部品からなっている。２つの部品は、第１固定部品２１１及び第２固定部品２１２である。
【００５８】
このため、第２実施形態に係る治具は、治具自体の大きさを小さくできる。
【００５９】
（５）第１、３実施形態に係る治具において、固定部は、単一の部品からなっている。
【００６０】
このため、第１、３実施形態に係る治具は、治具自体の剛性を比較的容易に確保でき、位置決め性能を確保できる材料の選択の幅を広げることができる。
【００６１】
（６）第１−３実施形態に係る保護フィルム貼付用セットは、治具１０、２１０、３１０と、フィルム積層体２０と、を備えている。
【００６２】
このため、第１−３実施形態に係る保護フィルム貼付用セットは、上述の効果を有している。
【００６３】
（７）第１−３実施形態に係るフィルム積層体２０において、保持フィルム２１は、保護フィルム２２よりも大きな寸法を有し、且つ位置決めされるための被位置決め要素を備えており、被位置決め要素は、保護フィルム２２の外側に形成された貫通孔２１ａ、２１ｂ、２１ｃ、２１ｄである。
【００６４】
このため、第１−３実施形態に係るフィルム積層体２０は、比較的簡単な構造で、保持フィルムを位置決め対象物に対して位置決めできる。
【００６５】
（８）第１−３実施形態に係るフィルム積層体２０において、保持フィルム２１は、平面視で保護フィルム２２の両側にそれぞれ、２つの貫通孔２１ａ、２１ｂ及び２つの貫通孔２１ｃ、２１ｄを備えている。
【００６６】
このため、第１−３実施形態に係るフィルム積層体２０は、位置決め対象物に対する保持フィルム２１の移動及び回転を抑制できる。
【００６７】
（変形例）
本実施形態に係る保護フィルム貼付用セットは、次の変形構成を採用できる。
【００６８】
第１−３実施形態では、ケース９０及び表示面９０ｍは平面視で四角形状の形状であり、それに対応して治具及びフィルム積層体２０が構成されている。治具及びフィルム積層体２０は、平面視でのケース９０及び表示面９０ｍの形状に応じて構成されればよい。
【００６９】
第１−２実施形態における当接面は、ケース９０の２つの側面に同時に接触する凹んだ面であるが、第３実施形態における当接面は、ケース９０の１つの側面に接触する平面である。複数の当接面にケース９０を当接させることにより、平面視でケース９０が治具に対して位置決めされる限り、当接面の形状は限定されない。ケース９０が曲面形状を有する場合、その曲面形状にぴったり合うように当接面が形成されても良い。
【００７０】
第１−３実施形態では、保持フィルム２１は被位置決め要素として貫通孔２１ａ、２１ｂ、２１ｃ、２１ｄを有し、治具は、対応する位置決め要素として突出部１６ａ、１６ｂ、１６ｃ、１６ｄを備えている。平面視における貫通孔及び突出部の形状は、円形に限定されるものではなく、四角形、星形、楕円、その他の形状や、平面視で保持フィルム２１の外周から内側に向けて形成される切り欠きであってもよい。
【００７１】
第２実施形態では、固定部は２つの部品（２１１、２１２）から構成されている。固定部の数は、２に限定されるものではなく、３又は４であってもよい。また、固定部を構成する複数の部品は、平面視で表示面９０ｍの中心に対して点対称に配置される必要はなく、非対称に配置されても良い。ただし、平面視において、ケース９０の重心が移動しないように、表示面９０ｍを挟んで対向する２つの当接面からなる組が、少なくとも１組存在するように、複数の部品が構成される。
【００７２】
また、「ポカヨケ」のため、つまりユーザーが表示面９０ｍに対する保護フィルム２２の配置を間違えることがないように、治具及びフィルム積層体２０に不均一構造又は非対称構造を積極的に採用しても良い。例えば、フィルム積層体２０が特定の姿勢でのみ治具１０に取り付けられるように、ある貫通孔の形状又は寸法と、別の貫通孔の形状又は寸法とが異なるように設計され、それに対応して突出部も設計される。あるいは、ケース９０が不均一な形状を有する場合、このケース９０が特定の姿勢でのみ治具１０に取り付けられるように、ある当接面の形状又は寸法と、別の当接面の形状又は寸法とが異なるように設計される。
【符号の説明】
【００７３】
１０  保護フィルム貼付用治具
１１  第１固定部
１２  第２固定部
１５ａ、１５ｂ  支持面
１６ａ、１６ｂ、１６ｃ、１６ｄ  突出部
２０  フィルム積層体
２１  保持フィルム
２２  保護フィルム
９０  ケース
９０ｍ  表示面
【図１】
2014002246.tif 000003
【図２】
2014002246.tif 000004
【図３】
2014002246.tif 000005
【図４】
2014002246.tif 000006
【図５】
2014002246.tif 000007
【図６】
2014002246.tif 000008
【図７】
2014002246.tif 000009
【図８】
2014002246.tif 000010
【図９】
2014002246.tif 000011
【図１０】
2014002246.tif 000012
【図１１】
2014002246.tif 000013
【図１２】
2014002246.tif 000014
【図１３】
2014002246.tif 000015
【図１４】
2014002246.tif 000016
【図１５】
2014002246.tif 000017
【図１６】
2014002246.tif 000018
【図１７】
2014002246.tif 000019
【図１８】
2014002246.tif 000020